(57)【要約】【課題】  本発明は、つぼを刺激する部材の種類および／または形状を任意に選択できるようにすることにより、また、つぼの位置を予め印刷しておくことにより、体における所望部位の血液循環等を積極的に良くすることができる履物用中敷きおよび履物に関するものである。【解決手段】  本発明の履物用中敷きおよび履物は、その基台の上に平滑面を有する合成樹脂部材、が貼着されている。前記合成樹脂部材の上には、つぼを刺激する部材を取り付けた吸盤が着脱自在に吸着されている。前記吸盤は、履物を履く際に、足裏にあるつぼに相当する位置の前記合成樹脂部材上に吸着させる。前記吸盤は、所望の位置に所望の数だけ吸着させることができる。【選択図】  図１
2005143779.tif 000002
【特許請求の範囲】
【請求項１】
足底面が、
平滑面を有する合成樹脂部材と、
前記合成樹脂部材の上に吸着することができる着脱自在な吸盤と、
前記吸盤の上に取り付けられたつぼを刺激する部材と、
から少なくとも構成されていることを特徴とする中敷き。
【請求項２】
前記合成樹脂部材および印刷部材は、足裏に合った形状をしていることを特徴とする請求項１に記載された中敷き。
【請求項３】
前記つぼを刺激する部材は、チタン、ゲルマニウム、マイナスイオンを発生するセラミックス、磁性体の内の少なくとも一つから構成されていることを特徴とする請求項１または請求項２に記載された中敷き。
【請求項４】
前記つぼを刺激する部材は、ほぼ球形、突起、平坦面の内の少なくとも一つまたは複数個、またはこれらの組み合わせであること特徴とする請求項１ないし請求項３のいずれか１項に記載された中敷き。
【請求項５】
足底面が、
平滑面を有する合成樹脂部材と、
前記合成樹脂部材の上に吸着することができる着脱自在な吸盤と、
前記吸盤の上に取り付けられたつぼを刺激する部材と、
から少なくとも構成されていることを特徴とする履物。
【請求項６】
足底面が、
足裏にあるつぼの位置が印刷されている印刷部材と、
前記印刷部材の上に貼着された平滑面を有する透明な合成樹脂部材と、
前記合成樹脂部材の上に吸着することができる着脱自在な吸盤と、
前記吸盤の上に取り付けられたつぼを刺激する部材と、
から少なくとも構成されていることを特徴とする履物。
【発明の詳細な説明】
【技術分野】
【０００１】
本発明は、体の各部における血液循環等を良好にするつぼを刺激することができる履物用中敷きおよび履物に関するものである。また、本発明は、体の各部における血液循環等を良好にするつぼを刺激することができる中敷きが敷かれた履物用中敷きおよび履物に関するものである。さらに、本発明は、前記履物を履いて歩くことにより、病気の予防や健康の保持に役立つ中敷きおよび履物に関するものである。本発明における「履物」とは、一般の各種履物以外に、室内ばき、あるいは暖房用のものも含む。
【背景技術】
【０００２】
たとえば、特開平９−１０３３０６号公報に記載された発明は、人の足の裏面にあるつぼをプリント表示した靴の中敷きで、前記つぼに対応するゾーンにつぼ押圧用パッチの押圧材を自由に選択して配置できるようになっている。
【０００３】
また、特開２０００−１３９５１０号公報に記載された発明は、換気能力とつぼ治療効果を有する靴の中敷きで、前記中敷きに一体的に隆起が成形されている。また、前記隆起は、下方向に沿って大きくなる径を有する薄い斜めの部分と結合されているとともに、中央部に換気孔が成形されている。
【０００４】
【特許文献１】特開平９−１０３３０６号公報
【特許文献２】特開２０００−１３９５１０号公報
【発明の開示】
【発明が解決しようとする課題】
【０００５】
特許文献１に示された靴の中敷きに設けられるつぼ押圧材は、起毛繊維と不織布等による面ファスナーから構成されており、前記面ファスナーの中央部につぼを刺激する部材を設けている。しかし、前記面ファスナーは、クッション性が良過ぎて、つぼに対する刺激が小さいだけでなく、任意の形状からなる突起を付けることが困難であるという課題があった。
【０００６】
また、特許文献２に示された靴の中敷きは、隆起が一体成形されているため、つぼの位置を変えたり、異なる刺激を与えるための突起を付けることができないという課題があった。
【０００７】
以上のような課題を解決するために、本発明は、サンダル、スリッパ、下駄、靴等の履物に使用するものであり、つぼを刺激する部材の種類および／または形状を任意に選択できるようにすることにより、また、つぼの位置を予め印刷しておくことにより、体における所望部位の血液循環を積極的に良くすることができる履物用中敷き、履物、あるいは中敷きが敷かれた履物または足を入れたり、足を載せる物（以下、本明細書において、単に履物と記載する）を提供することを目的とする。
【０００８】
さらに、本発明は、つぼを刺激する部材を吸盤の上に取り付けることにより、刺激部材を選択することが容易であり、吸盤による適度のクッション性を備えた履物用中敷き、あるいは履物等を提供することを目的とする。
【課題を解決するための手段】
【０００９】
（第１発明）
第１発明の履物用中敷きは、足底面が、平滑面を有する合成樹脂部材と、前記合成樹脂部材の上に吸着することができる着脱自在な吸盤と、前記吸盤の上に取り付けられたつぼを刺激する部材と、から少なくとも構成されていることを特徴とする。
【００１０】
（第２発明）
第２発明の履物用中敷きにおいて、合成樹脂部材および印刷部材は、足裏に合った形状をしていることを特徴とする。
【００１１】
（第３発明）
第３発明の履物用中敷きにおいて、つぼを刺激する部材は、チタン、ゲルマニウム、マイナスイオンを発生するセラミックス、磁性体の内の少なくとも一つから構成されていることを特徴とする。
【００１２】
（第４発明）
第４発明の履物用中敷きにおいて、つぼを刺激する部材は、ほぼ球形、突起、平坦面の内の少なくとも一つまたは複数個、またはこれらの組み合わせであること特徴とする。
【００１３】
（第５発明）
第５発明の履物は、足底面が、平滑面を有する合成樹脂部材と、前記合成樹脂部材の上に吸着することができる着脱自在な吸盤と、前記吸盤の上に取り付けられたつぼを刺激する部材と、から少なくとも構成されていることを特徴とする。
【００１４】
（第６発明）
第６発明の履物は、足底面が、足裏にあるつぼの位置が印刷されている印刷部材と、前記印刷部材の上に貼着された平滑面を有する透明な合成樹脂部材と、前記合成樹脂部材の上に吸着することができる着脱自在な吸盤と、前記吸盤の上に取り付けられたつぼを刺激する部材と、から少なくとも構成されていることを特徴とする。
【発明の効果】
【００１５】
本発明によれば、着脱自在に設けられる吸盤が吸着できる平滑面を有する合成樹脂部材の下における足裏にあるつぼの位置と血液循環等を良好にする体の部位が記載されているため、体調により適切な体の部位に対して刺激を行うことができる。
【００１６】
本発明によれば、着脱自在の吸盤であるため、前記吸盤に機能の異なる部材を取り付けたり、あるいは、形状の異なる部材を取り付けておき、必要に応じて選択することができる。
【００１７】
本発明によれば、吸盤自体にクッション性があるため、つぼを刺激する部材の形状が比較的尖っていても、つぼに強い刺激を与えているにもかかわらず、足裏に対する痛みを和らげる。
【００１８】
本発明によれば、本発明のような構成の中敷きが敷かれた履物を履くことにより、病気になる前に、つぼが刺激されて、健康を保つだけでなく、肉体的または精神的疲労を回復させることができる。
【発明を実施するための最良の形態】
【００１９】
（第１発明）
第１発明の履物用中敷きは、足底面が接する部分に、平滑面を有する合成樹脂部材、たとえば、塩化ビニル、ポリウレタン、ポリエチレン等が貼着されている。前記合成樹脂部材の上には、つぼを刺激する部材を取り付けた吸盤が着脱自在に吸着されている。前記吸盤は、中敷きの上に足を置く際に、足裏にあるつぼに相当する位置の前記合成樹脂部材上に吸着させる。前記吸盤は、所望の位置に所望の数だけ吸着させることができる。第け１発明は、つぼを刺激する部材が取り付けられた吸盤を、平滑面を有する合成樹脂部材上に取り付けることにより、病気の予防あるいは健康増進等のためになる。
【００２０】
（第２発明）
第２発明は、合成樹脂部材および印刷部材が足裏に合った形状をしているため、つぼの位置が判らない者であっても、容易にその位置が判る。また、前記印刷部材には、つぼの刺激により、体の中の血液等の循環を良くする部位の名称を印刷することもできる。  
【００２１】
（第３発明）
第３発明は、つぼを刺激する部材として、チタン、ゲルマニウム、マイナスイオンを発生するセラミックス、磁性体の内の少なくとも一つを選択して取り付けることができる。また、前記つぼを刺激する部材が取り付けられている吸盤は、前記合成樹脂部材に対して着脱が自在であるため、その時の体調や好みによって、任意の部材を選択することができる。前記チタン、ゲルマニウム、マイナスイオンを発生するセラミックス、磁性体は、すでに、体内の血液循環を良好にしたり、健康増進等に役立つことが判っている。
【００２２】
（第４発明）
第４発明は、つぼを刺激する部材として、円柱、球形、碁石状、丸い突起、尖った突起、平坦面を有する突起の内の少なくとも一つが吸盤に取り付けられる。また、吸盤には、前記形状の部材が複数個取り付けられたり、あるいは、これらの組み合わせたものが取り付けられる。
【００２３】
（第５発明）
第５発明の履物は、たとえば、サンダル、草履、下駄であり、これらの基台の上に平滑面を有する合成樹脂部材、たとえば、塩化ビニル、ポリウレタン、ポリエチレン等が貼着されている。前記合成樹脂部材の上には、つぼを刺激する部材を取り付けた吸盤が着脱自在に吸着されている。前記吸盤は、履物を履く際に、足裏にあるつぼに相当する位置の前記合成樹脂部材上に吸着させる。前記吸盤は、所望の位置に所望の数だけ吸着させることができる。
【００２４】
前記つぼを刺激する部材を備えた吸盤は、所望する任意の位置に着脱することができるだけでなく、吸盤を構成する部材が足裏に対してクッション部材となるため、つぼを程よく刺激するとともに、足裏に対する痛さを和らげることができる。本発明は、病気になる前に、つぼを刺激することにより、健康を保つだけでなく、肉体的または精神的疲労を回復させることができる。
【００２５】
（第６発明）
第６発明の履物は、平滑面を有する透明な合成樹脂部材の下部に、足裏にあるつぼの位置が印刷されている印刷部材が貼着されている点で、第５発明と異なっている。前記印刷部材は、足裏にあるつぼの位置が印刷されているため、健康状態によって刺激すべきつぼの位置が透明な合成樹脂部材を介してすぐに判り、前記吸盤を目的に適った位置に吸着させるのに都合が良い。
【実施例１】
【００２６】
図１（イ）は本発明の第一実施例である履物または中敷きを説明するための斜視図で、（ロ）は断面図である。図１（イ）および（ロ）において、履物または中敷き１１は、たとえば、塩化ビニル、ポリウレタン、ポリエチレン等からなる平滑面を有する透明な合成樹脂部材１１１から構成されている。前記合成樹脂部材１１１の下部には、つぼの位置と血液循環等を良好にする体の部位、あるいは内臓名等が印刷されている印刷部材１１２が貼着されている。
【００２７】
前記平滑面を有する透明な合成樹脂部材１１１の上には、吸盤１２を着脱自在に取り付けることができる。吸盤１２を構成する材質は、通常のものと同じであり、吸着部１２２から空気ができるだけ漏れないものが望ましい。
【００２８】
前記吸盤１２の上部１２３には、足裏のつぼを刺激する球形の刺激部材１２１が取り付けられている。前記吸盤１２は、前記印刷部材１１２に印刷されているつぼの位置と血液循環等を良好にする体の部位等を任意に選択した後、押圧することにより吸着される。前記吸盤１２の数や位置は、その時の体調や好みによって自由に選択できる。
【００２９】
前記刺激部材１２１の材質は、たとえば、チタン、ゲルマニウム、マイナスイオンを発生するセラミックス、磁性体等がある。チタン、ゲルマニウム、マイナスイオンを発生するセラミックス、磁性体等自体による効果は、すでに、公知である。
【実施例２】
【００３０】
図２（イ）ないし（ハ）は本発明の第二実施例であり、刺激部材の形状を説明するための図である。図２（イ）において、吸盤１２の上部１２３に取り付けられている刺激部材２１は、複数本の円柱状で先端部がやや尖った突起からなる。また、前記刺激部材２１は、先端部がやや尖った円柱状の突起の数、尖った突起の形状を任意に変えることができる。
【００３１】
図２（ロ）において、吸盤１２は、マイナスイオンを発生するセラミックス２２であり、比較的小さい方形からなり、その上に小さい複数の突起２２１を備えている。前記突起２２１の形状および数は、各種変形したものを用意することができる。
【００３２】
図２（ハ）において、吸盤１２は、磁性体からなり、碁石型の刺激部材２３が取り付けられている。前記磁性体からなる刺激部材２３は、つぼを刺激できる形状であれば、他の形状にすることも可能である。また、図１および図２に示す刺激部材は、吸盤１２に対してはめ込み、接着剤による取り付け等、公知または周知の手段を用いることができる。
【００３３】
チタン、ゲルマニウム、マイナスイオンを発生するセラミックス、磁性体等は、これらの物質が持つ固有の効果と、つぼの刺激効果の相乗効果が発揮できる。また、前記各物質は、すでに公知のものを使用することができる。
【００３４】
図３は本発明の実際に使用する際につぼの位置と血液循環等を良好にする体の部位を説明するための図である。図３に示す図は、足裏のつぼの位置と血液循環等を良好にする体の部位が平滑面を有する透明な合成樹脂部材を透して見える履物または中敷きの一部３１である。たとえば、つぼ３１１は、肺の機能を良好にすることができることが判る。その他、図３において、一部のみが表示されているが、胃や十二指腸等、多くの体の部位とつぼの位置が印刷されている。
【産業上の利用可能性】
【００３５】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明は、履物の種類あるいは、中敷きを入れる履物の種類に限定されない。履物および中敷きの部材は、吸盤が吸着できれば、本実施例のものに限定されない。
【００３６】
吸盤を構成する部材は、履物および中敷きとなる合成樹脂部材に吸着できるものであれば、本実施例に記載されたものに限定されない。刺激部材の形状は、つぼにとって良好な刺激ができれば、本実施例のものに限定されない。また、本発明は、吸盤に取り付ける刺激部材の大きさおよび形状を、好みにより、任意に選択することができる。
【図面の簡単な説明】
【００３７】
【図１】（イ）は本発明の第一実施例である履物または中敷きを説明するための斜視図で、（ロ）は断面図である。（実施例１）
【図２】（イ）ないし（ハ）は本発明の第二実施例であり、刺激部材の形状を説明するための図である。（実施例２）
【図３】本発明の実際に使用する際につぼの位置と血液循環等を良好にする体の部位を説明するための図である。
【符号の説明】
【００３８】
１１・・・履物または中敷き
１１１・・・平滑面を有する透明な合成樹脂部材
１１２・・・印刷部材
１２・・・吸盤
１２１・・・刺激部材
１２２・・・吸着部
１２３・・・上部
２１・・・円柱状突起、刺激部材（円柱状突起）
２２・・・小突起を備えたマイナスイオンを発生するセラミックス
２３・・・刺激部材（碁石状磁石）
【図１】
2005143779.tif 000003
【図２】
2005143779.tif 000004
【図３】
2005143779.tif 000005